(57)【特許請求の範囲】
【請求項１】
上流端で閉塞された中間筒、該筒内に下流側から挿入される栓体、その次に挿入されその頭部が栓体の下流側に装着されるプランジャー、プランジャー内の挿通孔と後出のアクチュエーター内の挿通孔とを共通の軸とした状態で両者を連通させる様に収容されてその内部に薬液流通路を備えた通液用管状体、該通液用管状体の上流端に接続された通液可能な穿刺針、該通液用管状体の下流側に外嵌され下流側で閉塞されたスリーブの閉塞部分から下流側に突設された管状ポストにその芯管が外嵌されると共にその上流端域が後出の外筒の下流端域に装着される拡声器状のアクチュエーター並びに中間筒外周を収容しその下流端域でアクチュエーターの上流端部に装着される外筒から構成される収容薬液を多段階の各段で所定量吐出可能な多段吐出容器。
【請求項２】
上流端で閉塞された中間筒、該筒内に下流側から挿入される栓体、その次に挿入されその頭部が栓体の下流側に装着されるるプランジャー、プランジャー内の挿通孔とアクチュエーター内の挿通孔とを共に貫通した状態で装着されてその内部に薬液流通路を備えた穿刺針、プランジャーの下流域内部に設けられた凹窩に内嵌される穿刺針支持筒、穿刺針支持筒下流側に設けられた鍔状の底板状部分に外嵌されるアクチュエーター並びに中間筒の上流域を収容すると共にアクチュエーターの上流端部と嵌着される外筒から構成される請求項１に記載の多段吐出容器Ａ。
【請求項３】
中間筒がその中段部の所定の区域において下流側に向けて急速に拡径し、該筒の略中段部内壁に２段階以上の拡径部と上流側拡径部の上流端付近から下流側拡径部の上流端付近へ到る区域に脱気溝を備えると共に該筒の略中段部外壁にもアンダーカットであって上流側へ拡きその上流端面が略直立のものを備え、該筒の下流端付近内壁に下流側からの不時の進入を妨げるアンダーカットを有する請求項１又は２に記載の多段吐出容器Ａ。
【請求項４】
プランジャーがその上流端に膨隆した頭部、それに続く中間域に略円錐形部分及びそれに続く下流域に略円筒形部分を備えた形状に形成され、該頭部が該栓体部下流側の凹窩に適合する寸法及び形状に形成されていると共に該部の下流端面が略直立して外嵌された栓体を脱落困難に支持し、その下流側に続く略円錐形部分が最大径に達した付近で２個以上の辿りピンがプランジャー外壁から略対称に立ち上がり、該辿りピンの稍下流側外壁にアンダーカットを有すると共に、プランジャー下流端付近内壁に穿刺針支持筒の不時進入を妨げる凹陥又は溝を有する請求項１〜３の何れかに記載の多段吐出容器Ａ。
【請求項５】
可撓性の栓体が下流側に開口する凹窩を内部に備え、その凹窩がプランジャーの頭部に外嵌された場合に脱落困難に確保され、中間筒中段部の急速な拡径部内壁に適合する形状である請求項１〜４の何れかに記載の多段吐出容器Ａ。
【請求項６】
穿刺針が内部に薬液の流通路を備え、該針の上流端に尖端部を備え、尖端部付近で内部流通路から穿刺針外部への１個以上の開口を有すると共に、該針の下流端がアクチュエーター・インサートの上流端に接続する請求項１〜５の何れかに記載の多段吐出容器Ａ。
【請求項７】
穿刺針支持筒がその下流側を形成する基板部分及びその上流面から立ち上がりその母線上に１個以上の切り込みを有する略筒状部分から形成されると共に、該基板部分の軸付近に設けられた挿通孔内に穿刺針の下流区域を貫通形態で支承する請求項１〜６の何れかに記載の多段吐出容器Ａ。
【請求項８】
アクチュエーターが上流側へ伸びる芯管とその下流域外壁から立ち上がり上流側へ向けて略開きながら延びる外管とからなる擬似二重筒構造で、該内筒内にアクチュエーター・インサートを収容し、該アクチュエーター・インサートが中実の棒状物で、該薬液をその外周に沿って流通させた後にアクチュエーター下流端の吐出孔に流通させ、該外管の上流側区域に稍拡径部を有すると共にその上流端で鍔状部を形成し、該鍔状部の外径よりも短い外径の筒状部が鍔状部の上流面から上流側へ延びる筒状部から形成されている請求項１〜７の何れかに記載の多段吐出容器Ａ。
【請求項９】
外筒がその上流端内壁にアンダーカットであって上流側への移動を阻止するものを備え、該外筒内壁の母線上で上流端から所定の位置まで１個以上の案内溝を有し、該外筒の内壁で下流端から上流側へ向けて所定の位置まで大径区域を有する請求項１〜８の何れかに記載の多段吐出容器Ａ。
【請求項１０】
外筒の上流端面と中間筒の上流端に位置する閉塞板の下流端面との間において中間筒の外面に横断面Ｃ字型、横断面長Ｓ字型及び横断面Ｈ字型から選ばれる１個以上の不時作動阻止具が装着されている請求項１〜９の何れかに記載の多段吐出容器Ａ。
【請求項１１】
穿刺針が樹脂製であると共に少なくともその頭部外壁に母線と略平行に伸びる補強突条であってその稜線部が鋭利に形成された補強突条を１条以上備え、穿刺針の横断面において刺付き多角形状及び刺付き閉曲線状から選ばれた形状である請求項１〜１０の何れかに記載の多段吐出容器Ａ。
【請求項１２】
少なくとも中間筒及びプランジャーが何れも１２１℃において２０ｍｉｎのオートクレーブ滅菌に耐える高防湿性、無臭性、人畜無害性及び高剛性の実質的に非晶性樹脂で形成されている請求項１〜１１の何れかに記載の多段吐出容器Ａ。
【請求項１３】
少なくとも中間筒及びプランジャーが何れも縮合多環構造の１以上の結合を自己の分子鎖とする脂環族オレフィン重合体又は共重合体であって、透湿係数０．０９（ｇ・ｍｍ／ｍ２・２４ｈ；３００μｍ厚；４０℃；９０％ＲＨ）以下、無臭、人畜無害及び高剛性で実質的に非晶質の重合体又は共重合体で形成されている請求項１〜１２の何れかに記載の多段吐出容器Ａ。
【請求項１４】
上流端で閉塞された中間筒、該筒内に下流側から挿入される栓体、その次に挿入されその頭部が栓体の下流側に装着されるるプランジャー、プランジャー内の挿通孔に進入可能でアクチュエーター芯管の上流端開口に支承された状態で装着されたその内部に薬液流通路を備えたステムホルダー、ステムホルダー上流端に支持され薬液流通路を備えた上流側に向けられた穿刺針、中間筒の少なくとも下流域を収容すると共にアクチュエーター外管の上流面から突設された管状装着部とその下流端域で嵌着される外筒から構成される請求項１に記載の多段吐出容器Ｂ。
【請求項１５】
中間筒が下流側に向けて拡径して大径に到り、該筒の下流端付近から該筒の略中段に到る長さ及び中心角略４５度の幅で窓孔を長軸に対して略対称な位置に備え、該窓孔の下流端内壁に下流側移動阻止型のアンダーカットを備え、更に窓孔の略中間位置で中間筒の下流端付近から上流側へ長軸に略平行に伸びる細幅の縦溝であってその下流端外壁に下流移動阻止型のアンダーカットを備えると共に窓孔の上流端以上の上流側位置で略水平方向へ転向して横溝となり中心角４５度以下の位置で略９０度転向して上流方向へ向かう案内溝を形成する請求項１４に記載の多段吐出容器Ｂ。
【請求項１６】
プランジャーがその中間域に略円錐形部分及びそれに続く下流域に略円筒形部分を備えた形状に形成され、その頭部が該栓体の凹窩に適合すると共にプランジャーの円錐形部分外壁に長軸と略平行に突設された複数枚の縦ひれの上流端が該栓体の下流端に支承され、プランジャーの略円筒形部分外壁から下流移動阻止型のアンダーカットが長軸に対して略対称に立ち上がる請求項１４又は１５に記載の多段吐出容器Ｂ。
【請求項１７】
可撓性の栓体が下流側に開口する凹窩を長軸上に備え、中間筒の上流端部内壁に適合する形状である請求項１４〜１６の何れかに記載の多段吐出容器Ｂ。
【請求項１８】
穿刺針チップが薬液流通路を備えると共に、該針の上流端に尖端部を備え、該尖端部付近が栓体を刺通した段階で薬液流通路を通じて穿刺針チップ下半部への１個以上の開口を形成すると共に、該針の下半部が装着されたステムホルダー内の薬液流通路へ連通させる請求項１４〜１７の何れかに記載の多段吐出容器Ｂ。
【請求項１９】
ステムホルダーが略有底二重管部分を下流域に有すると共にその内管内に薬液流通路を備え、該二重管部分の外管上流端外周にアンダーカットを備えている請求項１４〜１８の何れかに記載の多段吐出容器Ｂ。
【請求項２０】
アクチュエーターが上流側へ伸びる内管とその下流域外壁から立ち上がり上流側へ向けて拡開しながら延びる外管とからなる二重筒構造で、該内管内にアクチュエーターインサートを収容し、該アクチュエーター・インサートが中実の棒状物で、該薬液をその外周に沿って流通させた後にアクチュエーター下流端の吐出口に流通させ、該外管の上流側区域に稍拡径部を有すると共にその上流端で鍔状部を形成し、該鍔状部の上流面から上流側へ延びる筒状部から形成されている請求項１４〜１９の何れかに記載の多段吐出容器Ｂ。
【請求項２１】
外筒が略直管状でその中段域内壁に２個以上の案内突部を長軸に対して略対称の位置に備えると共にその下流端域に大径区域を有する請求項１４〜２０の何れかに記載の多段吐出容器Ｂ。
【請求項２２】
外筒の上流端面と中間筒の上流端に位置する閉塞板の下流端面との間において中間筒の外面に断面略Ｃ字型、断面略長Ｓ字型及び断面略Ｈ字型から選ばれる１個以上の不時作動阻止具が装着されている請求項１４〜２１の何れかに記載の多段吐出容器Ｂ。
【請求項２３】
穿刺針チップが樹脂製であると共に少なくともその頭部外壁に長軸と略平行に伸びる補強突条であってその稜線部が鋭利に形成された補強突条を１条以上備え、穿刺針の横断面において略Ｕ字型形状である請求項１４〜２２の何れかに記載の多段吐出容器Ｂ。
【請求項２４】
少なくとも中間筒及びプランジャーが何れも１２１℃において２０ｍｉｎのオートクレーブ滅菌に耐える高防湿性、無臭性、人畜無害性及び高剛性の実質的に非晶性樹脂で形成されている請求項１４〜２３の何れかに記載の多段吐出容器Ｂ。
【請求項２５】
少なくとも中間筒及びプランジャー並びに穿刺針チップが何れも縮合多環構造の１以上の結合を自己の分子鎖とする脂環族オレフィン重合体又は共重合体であって、透湿係数０．０９（ｇ・ｍｍ／ｍ２・２４ｈ；３００μｍ厚；４０℃；９０％ＲＨ）以下、無臭、人畜無害及び高剛性で実質的に非晶質の重合体又は共重合体で形成されている請求項１４〜２４の何れかに記載の多段吐出容器Ｂ。
【発明の詳細な説明】
【０００１】
【産業上の利用分野】
本発明は収容された薬液を所定量宛２回以上に亙り繰り返して吐出可能な多段吐出容器Ａ及びＢに関する。詳しくは、体腔例えば、鼻腔又は喉頭もしくは咽頭等内へ所定量の薬液、通常は薬液を多段階の各段で所定量づつ注入する為に有用な多段吐出容器Ａ及びＢに関する。本発明における「薬液」とはニュートン流動を示す程度の低粘度薬液に限らず、高粘度薬液（粘稠液体）、グリース状又はゲル状（ジェル状）のものをも包含する。
【０００２】
【従来の技術】
喉粘膜が過敏であることに起因する咳、喘息等の予防もしくは抑止又は鼻腔の閉塞感緩和その他の目的で体腔例えば、鼻腔、喉頭もしくは咽頭その他へ液体薬剤を噴霧投与する為の器具又は香水等の芳香付与剤、消臭剤等を噴霧状で対象へ付与する器具は既に提供されている。しかし、その殆どは薬液収容タンクにジェットノズルを組合わせた構成のものであることから、保存及び携帯（輸送）等には少なからぬ制約を伴う。しかも、各投与における噴霧量が一定し難い。病院等における定常的投与においては所定量投与の為に専用の高価な投与装置を導入する余地も考えられる。
【０００３】
しかし、個人的使用には高価で大型の装置（携帯不適）を導入する余地は到底無い。この種の在来器具では同一の器具で所定量を複数回投与することが困難であるばかりか、或噴射段階での投与量と次の噴射段階での投与量とを予め別異量に設定することなどは尚更望み難いことであった。
【０００４】
【発明が解決しようとする課題】
本発明の課題は従来の投与器具（供与器具）に伴っている下記の様な問題点を解消して、多段吐出可能でしかも作動確実な器具であることに加えて作動状態へ移行させる準備に特段の工具等を要せずに女性取扱い者の手指によっても実行可能な小型軽量の器具を開発することにある：
・同一の投与器具は１回投与しかできない（収容された全量の一括投与だけ）
・作動不確実（収容された全量を均一量宛複数回に分けて投与困難）
・携帯及び保存に不便等（嵩高、液洩れ等）
・当該状態から作動状態への不時の移行懸念
・作動状態への意図的な移行には何等かの工具又は強い指の力を要する。
【０００５】
【課題を解決するための手段】
本発明は下記の「多段吐出容器の基本的構成」並びに「多段吐出容器Ａの基本的構成」、「多段吐出容器Ａの改良構成１」〜「多段吐出容器Ａの改良構成１２」及び「多段吐出容器Ｂの基本的構成」、「多段吐出容器Ｂの改良構成１」〜「多段吐出容器Ｂの改良構成１０」に規定された手段によって上記の課題を解決しようとするものである。
【０００６】
［多段吐出容器の基本的構成］
上流端で閉塞された中間筒、該筒内に下流側から挿入される栓体、その次に挿入されその頭部が栓体の下流側に装着されるプランジャー、プランジャー内の挿通孔と後出のアクチュエーター内の挿通孔とを共通の軸とした状態で両者を連通させる様に収容されてその内部に薬液流通路を備えた通液用管状体、該通液用管状体の上流端に接続された通液可能な穿刺針、該通液用管状体の下流側に外嵌され下流側で閉塞されたスリーブの閉塞部分から下流側に突設された管状ポストにその芯管が外嵌されると共にその上流端域が後出の外筒の下流端域に装着される拡声器状のアクチュエーター並びに中間筒外周を収容しその下流端域でアクチュエーターの上流端部に装着される外筒から構成される「多段吐出容器の基本的構成」に記載された多段吐出容器。
【０００７】
［多段吐出容器Ａの基本的構成］
上流端で閉塞された中間筒、該筒内に下流側から挿入されるプランジャー、プランジャーの頭部に外嵌される栓体、プランジャー内の挿通孔とアクチュエーター内の挿通孔とを共に貫通した状態で収容されて軸方向へ移動可能な穿刺針、プランジャーの下流域内部に設けられた凹窩に内嵌される穿刺針支持筒、穿刺針支持筒下流側に設けられた鍔状の基板状部分に外嵌されるアクチュエーター並びに中間筒外周とアクチュエーターの上流端部とに共に外嵌される外筒から構成される「多段吐出容器の基本的構成」に記載の多段吐出容器Ａ。
【０００８】
［多段吐出容器Ａの改良構成１］
中間筒がその中段部の所定の区域において下流側に向けて急速に拡径し、該筒の略中段部内壁に２段階以上の連続する拡径部と上流側拡径部の上流端付近から下流側拡径部の上流端付近へ到る脱気溝を備えると共に該筒の略中段部外壁にもアンダーカットであって上流側へ拡きその上流端面が略直立のものを備え、該筒の下流端付近内壁に下流側からの不時の進入を妨げるアンダーカットを有する「多段吐出容器の基本的構成」及び「多段吐出容器Ａの基本的構成」に記載の多段吐出容器Ａ。
【０００９】
［多段吐出容器Ａの改良構成３］
プランジャーがその上流端に膨隆した頭部、それに続く中間域に略円錐形部分及びそれに続く下流域に略円筒形部分から形成され、頭部が軸付近において周縁付近におけるよりも上流側へ突出する形状を有すると共に該部の下流端面が略直立して栓体を脱落困難に支持し、その下流側に続く略円錐形部分が最大径に達した付近で２個以上の辿りピンがプランジャー外壁から立ち上がり、該ピンの稍下流側外壁にアンダーカットを有すると共に、プランジャー下流端付近内壁に穿刺針支持筒の不時進入を妨げる凹陥又は溝を有する「多段吐出容器Ａの基本的構成」及び「多段吐出容器Ａの改良構成１」に記載の多段吐出容器Ａ。
【００１０】
［多段吐出容器Ａの改良構成４］
可撓性の栓体が内部に凹窩を備え、その凹窩がプランジャーの頭部に外嵌された場合に脱落困難に確保され、中間筒中段部の急速な拡径部内壁に適合する形状である「多段吐出容器Ａの基本的構成」並びに「多段吐出容器Ａの改良構成１」及び「多段吐出容器Ａの改良構成３」に記載の多段吐出容器Ａ。
【００１１】
［多段吐出容器Ａの改良構成５］
穿刺針が内部に薬液の流通路を備え、該針の上流端に尖端部を備え、尖端部付近で内部流通路から穿刺針外部への１個以上の開口を有すると共に、該針の下流端がアクチュエーター・インサートの上流端に接続する「多段吐出容器Ａの基本的構成」及び「多段吐出容器Ａの改良構成１」〜「多段吐出容器Ａの改良構成４」に記載の多段吐出容器Ａ。
【００１２】
［多段吐出容器Ａの改良構成６］
穿刺針支持筒が下流側に円板状の基板部分及びその上流面から立ち上がりその母線上に１個以上の切り込みを有する略筒状部分から形成されると共に、該基板部分の軸付近に設けられた挿通孔内に穿刺針の下流区域を貫通形態で支承する「多段吐出容器Ａの基本的構成」及び「多段吐出容器Ａの改良構成１」〜「多段吐出容器Ａの改良構成５」に記載の多段吐出容器Ａ。
【００１３】
［多段吐出容器Ａの改良構成７］
アクチュエーターが内筒とその下流域から立ち上がり上流側へ向けて延びる外筒とからなる擬似二重筒構造で、該内筒内にアクチュエーター・インサートを収容し、該アクチュエーター・インサートが中実の棒状物で、該薬液をその外周に沿って流通させた後にアクチュエーター下流端の吐出孔に流通させ、該内筒の上流側区域に稍拡径部を有すると共に内筒の上流端付近で拡径して鍔状部を形成し、該鍔状部の外径よりも短い外径の筒状部が鍔状部の上流面から立ち上がって上流側へ延びる筒状部から形成されている「多段吐出容器Ａの基本的構成」及び「多段吐出容器Ａの改良構成１」〜「多段吐出容器Ａの改良構成６」に記載の多段吐出容器Ａ。
【００１４】
［多段吐出容器Ａの改良構成８］
外筒がその上流端内壁にアンダーカットであって上流側へ向けて拡くと共に下流側で略直立するものを備え、該外筒内壁の母線上で上流端から所定の位置まで１個以上の案内溝を有し、該外筒の内壁で下流端から上流側へ向けて所定の位置まで大径区域を有する「多段吐出容器Ａの基本的構成」及び「多段吐出容器Ａの改良構成１」〜「多段吐出容器Ａの改良構成７」に記載の多段吐出容器Ａ。
【００１５】
［多段吐出容器Ａの改良構成９］
外筒の上流端面と中間筒の上流端に位置する閉塞板の下流端面との間において中間筒の外面に横断面Ｃ字型、横断面長Ｓ字型及び横断面Ｈ字型から選ばれる１個以上の不時作動阻止具が装着されている「多段吐出容器Ａの基本的構成」及び「多段吐出容器Ａの改良構成１」〜「多段吐出容器Ａの改良構成８」に記載の多段吐出容器Ａ。
【００１６】
［多段吐出容器Ａの改良構成１０］
穿刺針が樹脂製であると共に少なくともその頭部外壁に母線と略平行に伸びる補強突条であってその稜線部が鋭利に形成された補強突条を１条以上備え、穿刺針の横断面において刺付き多角形状及び刺付き閉曲線状から選ばれた形状である「多段吐出容器Ａの基本的構成」及び「多段吐出容器Ａの改良構成１」〜「多段吐出容器Ａの改良構成９」に記載の多段吐出容器Ａ。
【００１７】
［多段吐出容器Ａの改良構成１１］
少なくとも中間筒及びプランジャーが何れも１２１℃において２０ｍｉｎのオートクレーブ滅菌に耐える耐熱性、高防湿性、高透明性、無臭性、人畜無害性及び高剛性で実質的に非晶性樹脂で形成されている「多段吐出容器Ａの基本的構成」及び「多段吐出容器Ａの改良構成１」〜「多段吐出容器Ａの改良構成１０」に記載の多段吐出容器Ａ。
【００１８】
［多段吐出容器Ａの改良構成１２］
少なくとも中間筒及びプランジャーが何れも縮合多環構造の１以上の結合を自己の分子鎖とする脂環族オレフィン重合体又は共重合体であって透湿係数０．０９（ｇ・ｍｍ／ｍ２・２４ｈ；３００μｍ厚；４０℃；９０％ＲＨ）以下、無臭、人畜無害及び高剛性で実質的に非晶質の重合体又は共重合体で形成されている「多段吐出容器Ａの基本的構成」及び「多段吐出容器Ａの改良構成１」〜「多段吐出容器Ａの改良構成１２」に記載の多段吐出容器Ａ。
【００１９】
［多段吐出容器Ｂの基本的構成］
上流端で閉塞された中間筒、該筒内に下流側から挿入される栓体、その次に挿入されその頭部が栓体の下流側に装着されるるプランジャー、プランジャー内の挿通孔に進入可能でアクチュエーター芯管の上流端開口に支承された状態で装着されたその内部に薬液流通路を備えたステムホルダー、ステムホルダー上流端に支持され薬液流通路を備えた上流側に向けられた穿刺針、中間筒の少なくとも下流域を収容すると共にアクチュエーター外管の上流面から突設された管状装着部とその下流端域で嵌着される外筒から構成される多段吐出容器Ｂ。
【００２０】
［多段吐出容器Ｂの改良構成１］
中間筒が下流側に向けて拡径して大径に到り、該筒の下流端付近から該筒の略中段に到る長さ及び中心角略４５度の幅で窓孔を長軸に対して略対称な位置に備え、該窓孔の下流端内壁に下流側移動阻止型のアンダーカットを備え、更に窓孔の略中間位置で中間筒の下流端付近から上流側へ長軸に略平行に伸びる細幅の縦溝であってその下流端外壁に下流移動阻止型のアンダーカットを備えると共に窓孔の上流端以上の上流側位置で略水平方向へ転向して横溝となり中心角４５度以下の位置で略９０度転向して上流方向へ向かう案内溝を形成する「多段吐出容器Ｂの基本的構成」に記載の多段吐出容器Ｂ。
【００２１】
［多段吐出容器Ｂの改良構成２］
プランジャーがその中間域に略円錐形部分及びそれに続く下流域に略円筒形部分を備えた形状に形成され、その頭部が該栓体の凹窩に適合すると共にプランジャーの円錐形部分外壁に長軸と略平行に突設された複数枚の縦ひれ上流端が該栓体の下流端に支承され、プランジャーの略円筒形部分外壁から下流移動阻止型のアンダーカットが長軸に対して略対称に立ち上がる「多段吐出容器Ｂの基本的構成」及び「多段吐出容器Ｂの改良構成１」に記載の多段吐出容器Ｂ。
【００２２】
［多段吐出容器Ｂの改良構成３］
可撓性の栓体が下流側に開口する凹窩を長軸上に備え、中間筒の上流端部内壁に適合する形状である「多段吐出容器Ｂの基本的構成」並びに「多段吐出容器Ｂの改良構成１」及び「多段吐出容器Ｂの改良構成２」に記載の多段吐出容器Ｂ。
【００２３】
［多段吐出容器Ｂの改良構成４］
穿刺針チップが薬液流通路を備えると共に、該針の上流端に尖端部を備え、該尖端部付近が栓体を刺通した段階で薬液流通路を通じて穿刺針チップ下半部への１個以上の開口を形成すると共に、該針の下半部が装着されたステムホルダー内の薬液流通路へ連通させる「多段吐出容器Ｂの基本的構成」及び「多段吐出容器Ｂの改良構成１」〜「多段吐出容器Ｂの改良構成３」に記載の多段吐出容器Ｂ。
【００２４】
［多段吐出容器Ｂの改良構成５］
ステムホルダーが略有底二重管部分を下流域に有すると共にその内管内に薬液流通路を備え、該二重管部分の外管上流端外周にアンダーカットを備えている「多段吐出容器Ｂの基本的構成」及び「多段吐出容器Ｂの改良構成１」〜「多段吐出容器Ｂの改良構成４」に記載の多段吐出容器Ｂ。
【００２５】
［多段吐出容器Ｂの改良構成６］
アクチュエーターが上流側へ伸びる内管とその下流域外壁から立ち上がり上流側へ向けて拡開しながら延びる外管とからなる二重筒構造で、該内管内にアクチュエーターインサートを収容し、該アクチュエーター・インサートが中実の棒状物で、該薬液をその外周に沿って流通させた後にアクチュエーター下流端の吐出口に流通させ、該外管の上流側区域に稍拡径部を有すると共にその上流端で鍔状部を形成し、該鍔状部の上流面から上流側へ延びる筒状部から形成されている「多段吐出容器Ｂの基本的構成」及び「多段吐出容器Ｂの改良構成１」〜「多段吐出容器Ｂの改良構成５」に記載の多段吐出容器Ｂ。
【００２６】
［多段吐出容器Ｂの改良構成７］
外筒が略直管状でその中段域内壁に２個の案内突部を長軸に対して略対称の位置に備えると共にその下流端域に大径区域を有する「多段吐出容器Ｂの基本的構成」及び「多段吐出容器Ｂの改良構成１」〜「多段吐出容器Ｂの改良構成６」に記載の多段吐出容器Ｂ。
【００２７】
［多段吐出容器Ｂの改良構成８］
外筒の上流端面と中間筒の上流端に位置する閉塞板の下流端面との間において中間筒の外面に断面略Ｃ字型、断面略長Ｓ字型及び断面略Ｈ字型から選ばれる１個以上の不時作動阻止具が装着されている「多段吐出容器Ｂの基本的構成」及び「多段吐出容器Ｂの改良構成１」〜「多段吐出容器Ｂの改良構成７」に記載の多段吐出容器Ｂ。
【００２８】
［多段吐出容器Ｂの改良構成９］
穿刺針チップが樹脂製であると共に少なくともその頭部外壁に長軸と略平行に伸びる補強突条であってその稜線部が鋭利に形成された補強突条を１条以上備え、穿刺針の横断面において略Ｕ字型形状である「多段吐出容器Ｂの基本的構成」及び「多段吐出容器Ｂの改良構成１」〜「多段吐出容器Ｂの改良構成８」に記載の多段吐出容器Ｂ。
【００２９】
［多段吐出容器Ｂの改良構成１０］
少なくとも中間筒及びプランジャーが何れも１２１℃において２０ｍｉｎのオートクレーブ滅菌に耐える高防湿性、無臭性、人畜無害性及び高剛性の実質的に非晶性樹脂で形成されている「多段吐出容器Ｂの基本的構成」及び「多段吐出容器Ｂの改良構成１」〜「多段吐出容器Ｂの改良構成９」に記載の多段吐出容器Ｂ。
【００３０】
［多段吐出容器Ｂの改良構成１１］
少なくとも中間筒及びプランジャー並びに穿刺針チップが何れも縮合多環構造の１以上の結合を自己の分子鎖とする脂環族オレフィン重合体又は共重合体であって、透湿係数０．０９（ｇ・ｍｍ／ｍ２・２４ｈ；３００μｍ厚；４０℃；９０％ＲＨ）以下、無臭、人畜無害及び高剛性で実質的に非晶質の重合体又は共重合体で形成されている「多段吐出容器Ｂの基本的構成」及び「多段吐出容器Ｂの改良構成１」〜「多段吐出容器Ｂの改良構成１０」に記載の多段吐出容器Ｂ。
【００３１】
＜多段吐出容器Ａの好適態様＞
本発明の「収容薬液を多段階の各段で所定量吐出可能な多段吐出容器」（本発明では、その第１群を「多段吐出容器Ａ」と略称することがある）の好適態様を以下に、図１〜６に基づいて具体的に説明する。以後各図面においては下側を上流側、上側を下流側として説明する。
【００３２】
＜＜図面に基づく説明＞＞
＜＜＜多段吐出容器Ａについて＞＞＞
図１は本発明の多段吐出容器の中の多段吐出容器Ａの出荷状態、輸送状態又は貯蔵状態における模式的縦断面図であり、実際には後に詳述する様に作動係止部材８が装着されている。図１の（ａ）はその使用前ではあるが上記の不時作動阻止具が取り外された状態を、図１の（ｂ）はその模式的部分拡大断面図である。尤も、実際の保管及び輸送される際の形態即ち、不時作動阻止具が装着された状態及び該部材の１例は図面上の混雑を避ける為に図８に示されている。
【００３３】
図２は本発明の多段吐出容器Ａにおける特に中間筒側壁部に刻設された案内溝及び中間筒内壁に刻設された脱気用の溝の形状を示す［図２の（ｂ）］と共に、中間筒をその下流側から見た場合の案内溝の形状及び配置、脱気用の溝の形状及び配置並びに中間筒内壁のアンダーカット等の形状を示す［図２の（ｃ）］。
【００３４】
図３は本発明の多段吐出容器Ａの作動第１段階である蓄圧及び刺通段階を示し、図３の（ａ）はその模式的縦断面図、図３の（ｂ）はその模式的部分拡大切開図及び図３の（ｃ）は模式的横断面図である。
【００３５】
図４は本発明の多段吐出容器Ａの作動第２段階である第１段吐出段階を示し、図４の（ａ）はその模式的縦断面図、図４の（ｂ）はその模式的部分拡大切開図及び図４の（ｃ）は模式的横断面図である。
【００３６】
図５は本発明の多段吐出容器Ａの作動第３段階である第２段目の蓄圧段階を示し、図５の（ａ）はその模式的縦断面図、図５の（ｂ）はその模式的部分拡大切開図及び図５の（ｃ）は模式的横断面図である。
【００３７】
図６は本発明の多段吐出容器Ａの作動第３段階である図５の係合関係を拡大表示する為のもので、図６の（ａ）はその図５の（ａ）と同一の模式的縦断面図、図６の（ｂ）はその模式的部分拡大切開図である。
【００３８】
図７は本発明の多段吐出容器Ａの作動第４段階である第２段吐出完了状態を示し、図７の（ａ）はその模式的縦断面図、図７の（ｂ）はその模式的部分拡大切開図及び図７の（ｃ）は模式的横断面図である。
【００３９】
図８は上述の様に本発明の多段吐出容器Ａに不時作動阻止具が装着された状態及び該阻止具の１例を示す模式的縦断面図及び見取り図である。
＜多段吐出容器Ａの材質＞
本発明の多段吐出容器Ａを形成する材質は通常は可撓性樹脂状物であり、中でも熱可塑性樹脂が適する。一般には１−オレフィンの結晶性樹脂特に、プロピレンの結晶性単独重合体もしくは結晶性共重合体、４−メチル−１−ペンテンの結晶性単独重合体もしくは結晶性共重合体等が実用面から好適である。用途によっては非晶性樹脂であっても十分な剛性、防湿性、気体遮断性特に酸素又は二酸化炭素に対する遮断性、耐高温性（耐オートクレーブ滅菌性）、耐加圧水蒸気殺菌性、靱性（可撓性）及び透明性等を兼備していることを長所とする後掲のエチレン−環状オレフィン非晶性共重合体等も用いられ得る。特に、二次収縮の小さな点（寸法安定性）は非晶性樹脂の長所であることから、寸法安定性が重視される用途向けには該非晶性共重合樹脂等が却って優位に立つ場合がある。
【００４０】
この長所はその二次収縮が既存の非晶性樹脂であるポリ塩化ビニル（塩化ビニル樹脂）の二次収縮と略同水準に留まることが重視される用途即ち、ポリ塩化ビニル樹脂用の成形機がその儘適用できることが望まれる用途（多くのポリ塩化ビニル成形業者はそれを望んでいる）向けには極めて有益である。
【００４１】
従来用いられて来た材質の観念においては、透明性に代えて強靱性が要求される部材例えば穿刺針の材質としては金属が常用候補であり得た。しかし、近時益々強くなる環境保全の社会情勢の一環として、使用後の廃棄前に分別が必要とされるに至った。分別の基準に適合するには金属と樹脂等の可燃物とを分別する必要がある。そこで、本発明の多段吐出容器Ａにおける穿刺針の様な細長い部材であっても金属ではなく、樹脂製であることが好ましい。
【００４２】
この見地から好適な材質は上記の各種樹脂の中でも多環構造を含有する脂環族モノマーの重合体又は共重合体であって実質的に非晶質の樹脂状物であり、それに属すると見られる樹脂状物としては例えば、商品名「ＡＰＥＬ」（三井石油化学社製）又は商品名「ゼオネックス」（日本ゼオン社製）として提供されているものを挙げることができる。これらの樹脂は寸法精度及び寸法安定性、剛性、耐熱性、透明性、防湿性、成形性及び防湿性その他の気体遮断性等に優れている。
【００４３】
本発明の多段吐出容器Ａ、少なくともその中間筒及びプランジャーにオートクレーブ滅菌耐久性を付与する素材として好適な該非晶質樹脂は実用的にはエチレンと縮合環状オレフィンとの共重合体であってその性状値がエチレン単位の含有量約５０モル％以上、透湿係数０．０９（ｇ・ｍｍ／ｍ２・２４ｈ；３００μｍ厚；４０℃；９０％ＲＨ）以下、ガラス転移点（Ｔｇ）７０〜１８０℃及び屈折率（ｎＤ２０）１．５２〜１．５６程度のものである。この性状値を備えた樹脂に属すると推定される例としては上掲の商品名「ＡＰＥＬ」（三井石油化学社製）を挙げることができる。同社の特許から見て、該非晶質樹脂はエチレンと縮合環状オレフィンとの共重合体であって縮合多環構造を含有し、該環の１以上の結合を自己の分子鎖とする環状オレフィン単位主体の非晶質共重合体樹脂であると考えられる。
【００４４】
＜多段吐出容器Ａの中間筒１＞
図１の（ａ）において下端に位置する上流端から下流側へ延びる筒型部材である１は「中間筒」であってその上流端は板状部材１ｔｐで閉塞され、閉塞板状体１ｔｐから下流側へ向けて縮径部１ｕｅが立ち上がり、次いで拡径部１ｘｒを経て中間筒の本体部である１ｂｃへ到り、中間筒１の中間域外壁には逆止用の係合突条１ｕｃが突設され、該係合突条１ｕｃは上流側へ向けて開く勾配と上流端で軸に略垂直に切立った逆止突条である。中間筒１の中段域内壁は拡径部１ｉｃを経て大径内壁１ｅｉから下流端域内壁のアンダーカット１ｃｉを経て中間筒の下流端１ｕｄに終わる。
【００４５】
図２の特に（ｂ）によれば、中間筒１の中段域内壁には下流側へ向けた拡径部１ｍｅからその開始位置へ向けて母線と略平行に上流側へ延びる縦溝１ｄｅが１本以上設けられている。この縦溝１ｄｅの役割は気体抜き即ち、後掲の栓体３が中間筒１内へ進入することによって圧縮される気体の脱圧である。
【００４６】
図２の（ｃ）は中間筒１をその開口側から見た状態を示し、そこに例示されている様に、脱気用の縦溝１ｄｅは通常４〜６本設けられ、その位置は円周上に略等間隔に設定すれば一般には十分である。また、案内溝１ｇは同図では軸に対称に２本設けられているが、３本以上設けることも可能である。
【００４７】
また、縦溝１ｄｅの長さは次記する栓体３における上流側周縁部３ｆｕと下流側周縁部３ｆｄとの中間に形成される凹条（溝）３ｓの幅との兼ね合いで選択される。即ち、凹条３ｓの長さは栓体３の下流端が中間筒１中段付近の連続する２段の拡径部を通過して上流域へ完全に進入するまでは中間筒内に封じ込められた気体を脱出させる通路を提供するに十分な長さであることが重要である。
【００４８】
中間筒１の下流端から始まり下流側へ拡がるアンダーカット１ｃｉは中段部内壁１ｅｉの全周に亙る必要は無い。また、中段部内壁１ｅｉには案内溝１ｇが刻設又は穿設されており、後に図３〜５及び図７における各図の（ｂ）で特に詳説される様に該案内溝１ｇ内に図３で説明されるプランジャー２の中段部外壁から立ち上がる「辿りピン２ｇ」が嵌入して案内溝１ｇを辿りながら本発明の多段吐出容器Ａの機能「薬液を多段階の各段でそれぞれ所定量だけ吐出」を実現する。
【００４９】
この案内溝１ｇは本発明においては階段形状即ち、横溝（軸に略垂直な溝）１ｇ１→縦溝（軸に略平行な溝）１ｇ２→横溝１ｇ３→縦溝１ｇ４で構成されている。これらの縦溝例えば１ｇ２と１ｇ４との長さはそれぞれの段の吐出液量に応じた長さに設定することができる。
【００５０】
この案内溝１ｇは図３では中間筒１の側壁１ｅｉに穿設されているが、側壁１ｅｉの内壁に刻設された（側壁を貫通しない）溝であってもよい。また、この案内溝１ｇが提供する吐出段数は図示の２段階に限らず、更に多段にすることもできる。その為には一般に中間筒１の円筒状部分を長くしかも大径にすることを要する。
【００５１】
図１の（ｂ）は上記プランジャー２の頭部（上流端）２ｈとそれに冠せられる栓体３との嵌合関係及びそれの嵌合によって形成される複合体が中間筒１の内部に嵌装されている状態を詳細に示す部分拡大縦断面図である。
【００５２】
＜多段吐出容器Ａのプランジャー２＞
図１において中間筒１の内側には下流側から「プランジャー２」が移動可能に嵌装されている。プランジャー２は上流側の円錐形部分２ｘｒとその下流端に接続する略円筒形部分２ｂｃとから形成され、その下流域内壁には係止用の凹条２ｃｒが設けられ、下流端２ｃｄに終わる。プランジャー２の外壁で円錐形部分２ｘｒと円筒形部分２ｂｃとの通常的には上記の接続線付近に２個以上の辿りピン２ｇが長軸に関して略対称位置に突設されている。
【００５３】
また、プランジャー２の外壁で辿りピン２ｇよりも稍下流側には軽度の突条又は突起２ｒｃが隆起している。プランジャー２の上流端には略円柱状の頭部２ｈが設けられ、その上流端面２ｕｅは略円錐面又は半球面の様な曲面状に形成され、その略中心部に設けられた透孔（挿通孔）２ｕｈ内には後記の穿刺針４の尖端部４ｕが収容される。頭部２の稍下流側に鍔状部２ｆが設けられている。
【００５４】
＜栓体３＞
図１においてプランジャー２の頭部２ｈには柔軟性の冠状の「栓体３」が冠せられ、図示された栓体３の軸上断面形状は略五角形であり、その上流端面３ｈの形状は略円錐形であるが、半球形等の曲面であっても良い。この栓体３は中間筒１の内壁に移動可能に嵌装されて中間筒１内に収容される薬液を水密的に封じ込めるると共にその移動によって薬液を押し出すピストンの役割を果たす。
【００５５】
また、この栓体３は本発明の多段吐出容器Ａの作動において穿刺針４の尖端部４ｕによって穿孔され得る程度の材質で形成されていることが重要である。従って、通常はゴム等の軟質弾性材料で作成されている。
【００５６】
栓体３と中間筒頭部２ｈとの嵌合関係は図１の（ｂ）に詳しく例示されている。栓体３の側壁部にはその略全周に亙る凹部（溝）３ｓが通常設けられている。この凹部の役割は栓体３が中間筒１内へ押し込まれる際に中間筒１内に封じ込められた気体等を逃がし易い様にすることにある。
【００５７】
即ち、栓体３が中間筒１へ進入すると封じ込められた気体が先ず中間筒１の中段部内壁に設けられた脱気用の溝１ｄｅを経由して栓体３の側壁に位置する凹部３ｓへ入って下流側へ脱出する。その結果、中間筒１内の気体は略排除されるから、栓体３が更に奥へ進入する為の抵抗は殆ど消失している。
【００５８】
勿論、上記の過程で脱気を完了させるには、中間筒１内へ収容する薬液の表面位置を中間筒１の中段部における脱気溝の上流端よりも低く設定しないことが重要である。
【００５９】
＜多段吐出容器Ａの穿刺針支持筒５＞
図１においてプランジャー２の下流域内側には「穿刺針支持筒５」の上流部分である管状部５ｃｙが嵌装されている。穿刺針支持筒５の上流域外壁には突条５ｃが設けられ、この突条５ｃはプランジャー２の下流域内壁に設けられた凹溝２ｃｒに嵌合される。穿刺針支持筒５の下流部分は略板状の基板部５ｂｐから構成されている。管状部５ｃｙと基板部５ｂｐとは一体成形されたものであることが好ましく、図において両部の間が分離されている表示には必然性が無い。
【００６０】
穿刺針支持筒５の下流端にはアクチュエーターインサート５ｉが接続されている。この５ｉは中実の棒状体であって、その役割は後記のアクチュエーター６の内筒６ｉｔ内に嵌装されて穿刺針４内部の流通路を介して送られてくる薬液を５ｉの外周に展開させながら後述の吐出口６ｉｈへ導くことにある。
＜多段吐出容器Ａのアクチュエーター６＞
図１において穿刺針支持筒基板５ｂｐの外縁には擬似二重筒型の「アクチュエーター６」の上流域である大径管状部６ｃｙが外嵌され、この大径管状部６ｃｙの下流端は略板状のアクチュエーター基板部分６ｆに到り、該基板部分６ｆの下流面から稍小径のアクチュエーター外筒部分６ｅｔが立上がり、該外筒部分６ｅｔの下流端はアクチュエーター内筒部分６ｉｔの下流域に合流している。このアクチュエーター内筒部分６ｉｔの下流端には吐出口６ｉｈが開口している。
【００６１】
＜多段吐出容器Ａの穿刺針４＞
図１においては「穿刺針４」がプランジャー２の略中心と穿刺針支持筒５の略中心とを共有する軸上を貫通している。穿刺針４はその中心軸付近を貫通する流通路（不図示）を備え、その上流端で尖端部を形成すると共に尖端区域４ｕには穿刺針外へ通ずる開口４ｗを１個以上備え、穿刺針４の下流端では穿刺針支持筒５下流域のアクチュエーターインサート５ｉに接続されている。
【００６２】
このアクチュエーターインサート５ｉは穿刺針支持筒５の項で説明したものであって、その上流端面に穿刺針４の下流端に接続する為の接続具を備えており、前述の機能を果たす。  穿刺針４が前述のエチレン−トリシクロデセン非晶質共重合体樹脂で作成されたものである場合には、好ましくは穿刺針４の外壁母線に沿って補強用の突条（リブ）を付設することが行なわれる。
【００６３】
特に、穿刺針４の頭部４ｐ付近は栓体３を貫通（穿孔）する役割を担うことから、外壁面において鋭利であることが有益である。その要請に対応する形状として、穿刺針４の少なくとも頭部付近が軸に垂直な断面において両刃形、刺付き三角形、刺付き四辺形等の刺付き多角形又は刺付き円形もしくは刺付き楕円形等の刺付き閉曲線からなる穿孔に有利な断面形状を付与されていることは穿刺針の樹脂化に有用である。
【００６４】
＜多段吐出容器Ａの外筒７＞
図１において中間筒１の外側及びその下流側に位置する穿刺針支持筒５の外側には「外筒７」が嵌装されている。外筒７はその上流端縁に上流側へ向けて開く傾斜面７ｘｅを備えると共に、該傾斜面７ｘｅは外筒７の内壁よりも中心側へ張り出した係止突条７ｕｃを形成し、係止突条７ｕｃの下流端面は外筒内壁面７ｉから略垂直に立上がる形状で、中間筒１外壁の係合突条１ｕｃの上流端面に係合する。
【００６５】
外筒７の内壁にはその上流端から下流域へ向けて母線に略平行な上流側縦溝７ｘｕが２本以上刻設されている。この上流側縦溝７ｘｕにはプランジャー２の外壁から立上がる「辿りピン２ｇ」が嵌入する。外筒７の内壁にはその下流端から上流側へ向けて拡径部７ｘｄが設けられている。この拡径部７ｘｄはアクチュエーター６の大径筒状部６ｃｙを収容する為のものである。
【００６６】
＜多段吐出容器Ａの不時作動阻止具８＞
図８において中間筒１の本体部１ｂｃ外側で上流端閉塞板１ｔｐ下流端面と外筒７の上流端面との間には本発明の多段吐出容器Ａの不時作動阻止具８が装着される。なお、同図においては不時作動阻止具８の上流端面は中間筒１の閉塞板１ｔｐの上流面から離れ、他方不時作動阻止具８の下流端面は外筒７の上流端面から離れている様に見えるが、実際には間隙無しに当接している。不時作動阻止具８の機能は外筒７と中間筒１との間の軸方向における相対移動を阻止することにある。従って、この機能を発現する形状及び構造のものである限り不時作動阻止具８は多種多様なものであり得る。
【００６７】
最も一般的には不時作動阻止具８は図８に例示されている様にその長軸に垂直な断面形状において略「Ｃ」字型を示す筒状のものである。即ち、この不時作動阻止具８にはその母線全長に亙る切欠き（開口）８ｃが設けられている。なお、この切欠き８ｃの両縁に沿って装着補助突条８ｂが通常は設けられる。この不時作動阻止具８の材質は着脱に容易な程度に可撓性で軸方向の圧縮力（衝撃力）によっては僅かな変形しか生じない程度に耐えるものが有用で、通常の高密度ポリエチレン結晶性樹脂又はポリプロピレン結晶性樹脂等であれば多くの場合に好適に用いられ得る。
【００６８】
更にこの改良として、断面「Ｃ」字型に代えて２個以上の長「Ｓ」字型の組合せでも、「Ｈ」字型の２本固定用（本発明の多段吐出容器Ａ２本組固定）でも、目的及び使用実態に合わせて各種の形状のものを選んで装着することができる。
【００６９】
上記の不時作動阻止具８は長軸方向の圧縮力特に、衝撃力によっては変形しにくいことが重要である。その為に断面「Ｃ」字型の母線上に走る補強突条（リブ）等を１本以上その外面等に付設することは有益である。しかし、その意図的な取外しを例えば、女性操作員（看護婦等）の手指で容易に行ない得ることも重要であるから、「Ｃ」字型の開口両縁を横方向（長軸に対して略垂直方向）へ開かせる為の抵抗は比較的に小さく設定することが好ましい。換言すれば、この不時作動阻止具８が自然発生的に装着状態から脱落しない程度に嵌装されていれば実用上は十分である。
【００７０】
［本発明の多段吐出容器Ａの組上げ］
図１における本発明の多段吐出容器Ａにおいては、所定量の薬液を収容した中間筒１内へ栓体３を冠せられたプランジャー２が挿入され、その際にプランジャー２外壁から立上がった辿りピン２ｇが中間筒１の側壁に刻設された案内溝１ｇに嵌入する様に組立てられる。プランジャー２の下流域内側へは穿刺針支持筒５の管状部５ｃｙが嵌装され、該支持筒５の中心孔から穿刺針４がその下流端に連結されたアクチュエーターインサート５ｉを伴って上流側へ向けて挿入設置される。
【００７１】
次に外筒７が中間筒１の外側へ下流側から嵌装される。その際には外筒７内壁に刻設された上流側縦溝７ｘｕがプランジャー２外壁の辿りピン２ｇを収容する様に組立てられる。最後に下流側からアクチュエーター６が外筒７の内側へ嵌装される。
【００７２】
これで本発明の多段吐出容器Ａは完成するが、実際的には不時の作動を阻止する為に不時作動阻止具８として例えば断面「Ｃ」字型のものを外筒７の上流端面と中間筒１の閉塞板１ｔｐ下流端面との間の中間筒１本体部１ｂｃ外側へ嵌装する。この不時作動阻止具８は輸送時又は保管時等に受ける虞ある軸方向の衝撃又は圧縮等に起因する作動状態への移行を阻止する。
【００７３】
【作用】
本発明の多段吐出容器Ａの作動を図３〜図５及び図７に示された作動図に基づいて具体的に説明する。本発明の多段吐出容器Ａにおいては、組上げられた儘の状態ではプランジャー２の外壁から立上がる辿りピン２ｇが中間筒１側壁に刻設された案内溝１ｇを構成する横溝部１ｇ１に軸方向への移動を阻まれる。それに加えて、中間筒１の外側で外筒７の上流端面と中間筒１の上流端閉塞板１ｔｐの下流端面との間に不時作動阻止具８が嵌装されているから、その状態で保存及び輸送に供されても、不時に作動状態へ移行する虞は解消されている。
【００７４】
本発明の多段吐出容器Ａを作動状態へ移すに先立つ準備操作として、図１の状態で下記の２段階の操作が必要である。その結果として図４の（ａ）及び（ｂ）に示された状態即ち、穿刺針４頭部の開口４ｗから薬液がその内部の流通路へ流入可能となる状態が作り出される：
・上記の不時作動阻止具８を取り外す操作及び
・中間筒１と外筒７との間に縦方向（軸方向）の相対運動を与えて穿刺針４を栓体３の頭部３ｈに貫通させ、中間筒１内に収容された薬液を穿刺針頭部４ｕへ流入可能な状態に移す操作。
【００７５】
＜第一段吐出＞
本発明の多段吐出容器Ａを作動させるには、図４の状態で中間筒１と外筒７との間に横方向（軸に垂直な方向）の相対運動を与え（両筒の何れかを廻し）て横溝部１ｇ１の末端まで動かす。次に中間筒１と外筒７との間に縦方向（軸方向）の相対運動を与え（両筒の何れかを押し）て縦溝部１ｇ２の末端まで継続する。この操作によって中間筒１内の薬液が穿刺針４内の流通路を経由してアクチュエーター６下流端の吐出口６ｉｈから第一段の所定量だけ体腔内へ吐出される。この状態は図５の（ａ）及び（ｂ）に示されている。
【００７６】
＜第二段吐出＞
上記の第一段吐出終了後に、第二段吐出を行なうには、図５の状態で上記の第一段吐出と同様に中間筒１と外筒７との間に横方向（軸に垂直な方向）の相対運動を与え（両筒の何れかを廻し）て横溝部１ｇ２の末端まで動かす。次に中間筒１と外筒７との間に縦方向（軸方向）の相対運動を与え（両筒の何れかを押し）て縦溝部１ｇ３の末端まで継続する。この操作によって中間筒１内の薬液が穿刺針４内の流通路を経由してアクチュエーター６下流端の吐出口６ｉｈから第二段の所定量だけ体腔内へ吐出される。この状態は図７の（ａ）及び（ｂ）に示されている。
【００７７】
本発明の多段吐出容器Ａの細部構造は模式的拡大断面図である図６の（ｂ）に示されている様に、プランジャー２の外壁から立上がった辿りピン２ｇが中間筒１の側壁に刻設された案内溝１ｇの中段即ち、縦溝１ｇ２の上流端であって横溝１ｇ３の開始端に位置している。更に、プランジャー２の下流端２ｃｄは穿刺針支持基板５ｂｐの上流面に達し、また中間筒１の下流域内壁のアンダーカット１ｃｉはプランジャー２の外壁中段部で辿りピン２ｇの稍下流側に位置する軽度の突条２ｒｃに当接している。
【００７８】
吐出液量は案内溝１ｇの縦溝部１ｇ２及び／又は縦溝部１ｇ４の長さを選ぶことによって各種の量に設定できる。縦溝部１ｇ２の長さと縦溝部１ｇ４の長さとは独立に選定可能であるから、両段階における液の吐出量を相互に別異に設定することも容易である。
【００７９】
＜＜多段吐出容器Ｂについて＞＞
下記の説明は本発明の多段吐出容器の別異態様である「多段吐出容器Ｂ」に関するするものである。
【００８０】
図９は本発明の多段吐出容器の中で別異態様の多段吐出容器Ｂの出荷状態、輸送状態又は貯蔵状態における模式的縦断面図である。図９の（Ａ）はその全体図であって上記の不時作動阻止具（ストッパー）８Ｂが装着された儘の状態を、図９の（Ｂ）はその模式的部分拡大断面図である。
【００８１】
図１０は本発明の多段吐出容器Ｂにおいてその収容薬液が吐出される前の段階を表わし、同図はこの段階では中間筒１Ｂが外筒７Ａ内に多少挿入された状態即ち、「蓄圧及び刺通」状態にあることを示す。図１０の（Ａ）はその全体の模式的縦断面図であり、図１０の（Ｂ）は該容器Ｂの模式的部分拡大縦断面図である。
【００８２】
図１１は本発明の多段吐出容器Ｂにおいてその収容薬液が第１段目に吐出されている段階を表わし、同図はこの段階では中間筒１Ｂが外筒７Ａ内に更に挿入された状態即ち、「第１段目吐出」状態にあることを示す。
【００８３】
図１２は本発明の多段吐出容器Ｂにおいてその収容薬液が第１段目の吐出を終えて第２段目に吐出される前の段階を表わし、同図はこの段階では中間筒１Ｂが外筒７Ａ内に大部分挿入された状態即ち、「第１段目吐出終了及び第２段目蓄圧」状態にあることを示す。図１２の（Ａ）はその全体の模式的縦断面図であり、図１２の（Ｂ）は該容器Ｂの模式的部分拡大縦断面図である。
【００８４】
図１３は本発明の多段吐出容器Ｂにおいてその収容薬液が第２段目の吐出を終えた状態即ち、同図はこの段階では中間筒１Ｂが外筒７Ａ内に全て挿入された状態であって、図示の例では本発明の多段吐出溶液Ｂがその収容薬液の全量を吐出し終わったことを示す。
【００８５】
図１４は多段吐出容器Ｂにおける中間筒１Ｂの詳細説明図であって、図１４の（Ａ）はその斜め上方からの斜視図、図１４の（Ｂ）はその側壁に長軸に略対称に刻設された２本の細幅の縦溝（又は透孔）１Ｂｇ内を上下に走りそれらに略平行な平面で切断された場合の縦断面図、１４の（Ｃ）は中間筒１Ｂの側壁に長軸に略対称に刻設された２本の細幅の縦溝１Ｂｇ（又は透孔）の一方を手前側に表示した模式的側面図並びに図１４の（Ｄ）は図１４の（Ａ）において正面及び背面に見える広幅の窓孔（開口）１Ｂｗを結ぶと共に中間筒１Ｂの長軸に略平行な平面による模式的縦断面図である。
【００８６】
＜＜＜多段吐出容器Ｂの総括的説明＞＞＞
図９の（Ａ）において下端に位置する上流端から上端に位置する下流側へ延びる筒型部材である１Ｂは「中間筒１Ｂ」であってその上流端は板状部材１Ｂｔｐで閉塞され、閉塞板状体１Ｂｔｐから下流側へ向けて縮径部１Ｂｕｅが立ち上がり、次いで拡径部１Ｂｘｒを経て中間筒１Ｂの本体部である１Ｂｂｃへ到り、中間筒１Ｂの下流域外壁には通常２本の細長い溝又は細い透孔１Ｂｗが長軸対称位置に刻設されてその下流端付近には逆止用の係合突条（アンダーカット）１Ｂｕｃが突設され、その稍下流側で中間筒１Ｂの下流端１Ｂｄに終わる。
【００８７】
中間筒１Ｂの該係合突条１Ｂｕｃは上流側からそれに対して作用する力を受けとめるが、下流側から作用する力を逃がす逆止突条である。中間筒１Ｂの中段域から下流端付近までの側壁には最大中心角４５度の幅で通常２個の広幅窓孔（又は内壁面から側壁に刻設された凹窩）１Ｂｉｃが刻設され、該窓孔１Ｂｉｃの下流端縁内面には係合突条（アンダーカット）１Ｂｃｉを経て中間筒の下流端１Ｂｄに終わる。
【００８８】
中間筒１Ｂの該係合突条１Ｂｉｃは上流側からそれに対して作用する力を受け止めるが、下流側から作用する力を逃がす逆止突条であって、図９以下の各図に示された態様では中間筒１Ｂ内に収容された後掲の「プランジャー２Ｂ」の外壁下流域に突設された突条２Ｂｂを受け止める機能を果たす。
【００８９】
中間筒１Ｂの下流端から始まり上流側へ伸びる細い縦溝（又は細い透孔）１Ｂｇは中間筒１Ｂの大径部において略その中央まで伸びた後に同図では左向きに略９０度だけ転向して案内溝の第１段１Ｂｇ１となり、更に長軸と略平行に上流側向きに約９０度転向して案内溝の第２段１Ｂｇ２となる。
【００９０】
なお、軸対称に裏側に設けられた他の細い溝又は細い透孔１Ｂｇは中間筒１Ｂの大径部において略その中央まで伸びた後に同図の投影では右向きに略９０度だけ転向して別の１Ｂｇ１、更に長軸と略平行に上流側向きに約９０度転向して別の１Ｂｇ２となる。
【００９１】
上記の２本の細い縦溝１Ｂｇは何れも「案内溝１Ｂｇ」と称することがある。後掲の図１４の（Ａ）〜図１４の（Ｄ）において特に、図１４の（Ｃ）に示される様に該案内溝１Ｂｇ内に図で説明される「外筒７Ｂ」の中段部内壁から長軸対称に立ち上がる通常２個の「案内突部７Ｂｂ」が嵌入して案内溝１Ｂｇを辿りながら本発明の多段吐出容器Ｂの機能「薬液を多段階の各段でそれぞれ所定量だけ吐出」を実現する（というよりは、中間筒１Ｂがその案内溝１Ｂｇを案内突部７Ｂｂに合わせながら外筒７Ｂ内へ進入する）。
【００９２】
この案内溝１Ｂｇは図１３に示された本発明の態様においては階段形状即ち、横溝（軸に略垂直な溝）１Ｂｇ１→縦溝（軸に略平行な溝）１Ｂｇ２の単段形状で構成されている。しかし勿論のこと、この階段形状は単段に限らず更に、→横溝１Ｂｇ３→縦溝１Ｂｇ４の様に多段形状に拡張可能である。それに加えてこれらの縦溝例えば１Ｂｇ２と１Ｂｇ４との長さはそれぞれの段の吐出液量に応じた別異の長さに設定することができる。該案内溝１Ｂｇは図１４では中間筒１Ｂの側壁に穿設されているが、側壁の外側に刻設された（側壁を貫通しない）溝であってもよい。
【００９３】
上述の「外筒７Ｂ」は後記の「アクチュエーター６Ｂ」の上流側に張出した通常は環状部分６Ｂｕと嵌合関係にあって相互に嵌着される略管状の部材である。供用直前までは通常、中間筒１Ｂの下流域を収容すると共に栓体３Ｂ、プランジャー２Ｂ及びステムホルダー４Ｂ２からなる組込体全体を収容する。また、その内壁の通常は中段付近に２個の案内突部７Ｂｂを軸に対称の位置に備えて（図では何れか一方だけが示されている）いて、これで中間筒１Ｂの外壁に刻設された上記の案内溝１Ｂをたどることによって多段吐出容器Ｂの使用時に各段階が確実に実行される様に規制する。
【００９４】
多段吐出容器Ｂにおける「樹脂製穿刺針チップ４Ｂ１」は図９のステムホルダー４Ｂ２の先端部に通常は装着されている。その装着には各種の方式を採用することができ、図示の例では樹脂製穿刺針チップ４Ｂ１の後段４Ｂ１ｄが細く作成されてステムホルダー４Ｂ２内に位置する薬液流通路の開口に内嵌されている。
【００９５】
しかし、逆に樹脂製穿刺針チップ４Ｂ１の後段４Ｂ１ｄが前段４Ｂ１ｕと同径に作成されていてその後段４Ｂ１ｄ内部に大径部の凹窩を設け、逆にステムホルダー４Ｂ２の先端域が小径に作成されていて、上記の凹窩に内嵌する方式でもよい。
【００９６】
この樹脂製穿刺針チップ４Ｂ１は図９以下に示された例では実際には略Ｕ字型断面に成形されており、この溝が薬液流通路として働く。この形状に限らず、他の形状であっても本発明における例と同等以上の機能を果たすものであれば勿論、本発明の樹脂製穿刺針チップとして使用可能である。ここで強調すべきは、この略Ｕ字型断面が樹脂製の樹脂製穿刺針チップに好適な形状の１例であるという点である。
【００９７】
従来は金属製樹脂製穿刺針に独占されていたかに見えたに拘らず、最近になって表面硬度等の点で遥かに優る樹脂が出現したことが幸いして、本発明の多段吐出容器Ｂにおいては樹脂製穿刺針の樹脂化が実現した。とはいえ、本発明では比較的に短いチップの形態で樹脂製穿刺針が組み込まれている。
【００９８】
上述の「プランジャー２Ｂ」はその外壁上流域に通常は軸方向と略平行に走る「縦ひれ２Ｂｆ」を備えている。その個数は円周上に可能な限り等間隔に少なくとも４個以上であることが重要で、本発明の例では１２個である。この縦ひれ２Ｂｆの役割はプランジャー２Ｂが中間筒１Ｂ内へ安定的に進入し得る様に支持すると共に、その上流端２Ｂｈが栓体３Ｂ下流面の凹窩中に嵌合された後には揺動等によって離脱しない様に確保すること及びプランジャー２Ｂが栓体３Ｂ中に過度に進入せずにそれを可能な限り均等に推進することにある。この見地から言えば縦ひれ２Ｂｆの個数は多い目に選ばれることが重要である。
【００９９】
「ステムホルダー４Ｂ２」は図９の（Ａ）を含めて各図に示されている様に、略二重筒構造であって、長い内管４Ｂ２ｉの下流端付近から外管４Ｂ２ｅが始まって上流側へ伸び、その上流端域外周が削り取られて肩部を形成すると共に外周域の削り残しがアンダーカットとして機能する様に形成されている。
【０１００】
このアンダーカットはその上流側に位置するプランジャー２Ｂの下流端に当接してそれを支承する。従って、ステムホルダー４Ｂ２は全周に亙って連続した管状体でなくてもよく、数箇所に切れ目が刻設された間欠円形状又は例えば、プランジャーの上流側の様な多数個の縦ひれからなっていてもよい。その長さは中間筒１Ｂが進入して来た結果としてプランジャー４Ｂ２の下流端が所定の位置で支承される長さに設定されることが重要である。
【０１０１】
ステムホルダー４Ｂ２の内管４Ｂ２ｉの長さはその下流端がアクチュエーター６Ｂの内管６Ｂｉの上流端域に嵌装されると共に、他方ではその先端に樹脂製穿刺針チップ４Ｂ１を装着した状態で栓体３Ｂを所定位置で刺通し得る長さであることを要する。
【０１０２】
上記の「アクチュエーター６Ｂ」は図示の例においては略ラッパ型の外管６Ｂｅと略直管状の内管６Ｂｉとからなる所謂「拡声器」型のものである。この形状に更に、その外管６Ｂｅが外側へ拡大し終わった上流面から上流側へ向けて例えば環状の装着部６Ｂｃが立ち上がっている。この環状の装着部６Ｂｃは外筒７Ｂの下流端と嵌合する為の部分であることから、全周に亙って連続した環状でなくても間欠円であっても良い。
【０１０３】
また、内管６Ｂｉの内部にはその内径よりも稍小径で棒状の「アクチュエーター・インサート５Ｂ」が挿入されている。この「アクチュエーター・インサート５Ｂ」の役割は内管６Ｂｉ中に流入した薬液をその周面に分散させて吐出口６Ｂｊからその全周に亙って均一に噴出させることにある。
【０１０４】
付属部材として位置付けられる「不時作動阻止具（ストッパー）８Ｂ」は前掲の多段吐出容器Ａにおける図８に例示された形状と実質的に同一で十分であって、それによれば略Ｃ字型の断面を有し、その開放側から中間筒１Ｂの上流端に位置する板状部１Ｂｔｐの下流面と外筒７Ｂの上流端７Ｂｕとの間に現れた中間筒１Ｂへ装着されるものである。その表面で中心軸に対して対称的位置に軸と略平行に走る１本以上の突条が設けられている。この突条１Ｂｔｂはその目的における使い易さ向上の目的で設けられたものである。
【０１０５】
不時作動阻止具８Ｂの断面形状は上記の略Ｃ字型に限らず、略半円形断面で両端が一方は外側へ鈎型に曲がり、他方は内側へ鈎型に曲がっていて２個で相互に補い合って係合装着されるものを挙げることができる。
【０１０６】
＜＜＜多段吐出容器Ｂの各部を形成する材料＞＞＞
中間筒１Ｂを形成する材料としては多環構造含有非晶性樹脂中でも、縮合多環構造含有非晶性樹脂が好ましい。その要求性能としては耐熱性、耐水性（防湿性）及びガス遮断性特に、二酸化炭素遮断性等が重視される。
【０１０７】
栓体３Ｂを形成する材料としては通常のジエン系ゴムで十分であるが、通称「ブチルゴム」即ち、「イソブテン−イソプレン共重合体ゴム」が最適である。その理由はブチルゴムが空気遮断性に優れることにある。
【０１０８】
プランジャー２Ｂを形成する材料としてはプロピレン系の結晶性樹脂でも一応は足りる。しかし、中間筒１Ｂの形成材料である多環構造含有非晶性樹脂中でも、縮合多環構造含有非晶性樹脂が一層好ましい。その理由は耐熱性、耐水性（防湿性）及びガス遮断性特に、二酸化炭素遮断性等が重視される。
【０１０９】
樹脂製穿刺針チップ４Ｂ１を形成する材料としてはプロピレン系の結晶性樹脂で一応は足りる。しかし、中間筒１Ｂの形成材料である多環構造含有非晶性樹脂中でも、縮合多環構造含有非晶性樹脂が一層好ましい。その理由は耐熱性、耐水性（防湿性）及びガス遮断性特に、二酸化炭素遮断性等が重視される。
【０１１０】
アクチュエーターインサート５Ｂｉを形成する材料としてはポリアセタール系樹脂が好ましい。
その他の部材即ち、外筒７Ｂ、ステムホルダー４Ｂ２及びアクチュエーター６Ｂプロピレン系の結晶性樹脂で十分である。
【０１１１】
【作用】
図９の（Ａ）に示されている様に、上記プランジャー２Ｂの頭部（上流端）２Ｂｈをそれに冠せられる栓体３Ｂに嵌合することによって形成される複合体を中間筒１Ｂの内部に収容し、その外側に外筒７Ｂを嵌装した後に外筒７Ｂの下流端にアクチュエーター６Ｂを装着する。これで本発明の多段吐出容器Ｂが完成する。前半の嵌合状態が詳細に部分拡大縦断面図である図９の（Ｂ）に示されている。
【０１１２】
上記の多段吐出容器Ｂを出荷する為には、この中間筒１Ｂの外側でその上流端に位置する板状部１Ｂｔｐの下流面と外筒７Ｂの上流端との間にストッパー８Ｂを装着する。該８Ｂの役割はアクチュエーター６Ｂと前記の中間筒１Ｂの上流面とを相対的に接近させる外力が不時に作用する事態を防止することにある。
【０１１３】
上記の多段吐出容器Ｂを使用するには、先ずストッパー８Ｂを取り外す。次に、図１０の（Ａ）に示されている様に、多段吐出容器Ｂの中間筒２Ｂとアクチュエーター６Ｂとの間を急激に接近させる。すると、多段吐出容器Ｂの内部に嵌装された栓体３Ｂを樹脂製穿刺針チップ４Ｂ１が刺通する。
【０１１４】
該樹脂製穿刺針チップ４Ｂ１が開設した中間筒内部への薬液流通路によって、樹脂製穿刺針チップ４Ｂ１の後端部に装着されたステムホルダー４Ｂ２の内管４Ｂ２ｉを通じて薬剤溶液がアクチュエーター６Ｂの内管６Ｂｉの上流端における吐出口６Ｂｊへ到る。しかも、プランジャー２Ｂの下流域外壁に設けられたアンダーカット２Ｂｂが中間筒１Ｂ内壁下流域に設けられたアンダーカット１Ｂｃｉと係合している。
【０１１５】
また、プランジャー２Ｂの下流端４Ｂ２ｄはステムホルダー４Ｂ２の外管４Ｂ２ｅの肩部外側に設けられたアンダーカット４Ｂ２ｕに支承される。他方、ステムホルダー４Ｂ２の内管４Ｂ２ｉの上流端中心側はプランジャー２Ｂの下流端域に内嵌されている。
【０１１６】
図１０の（Ｂ）は図１０の（Ａ）における栓体３Ｂを中心とした範囲の模式的部分拡大縦断面図である。しかし、図示の関係とは逆に、樹脂製穿刺針チップ４Ｂ１の下流側部分４Ｂ１ｄがステムホルダー４Ｂ２内管４Ｂ２ｉの先端域よりも大径即ち、ステムホルダー４Ｂ２の先端域が樹脂製穿刺針チップ４Ｂ１の下流域４Ｂ１ｄに挿入される構造とすることも可能である。
【０１１７】
中間筒１Ｂが外筒７Ｂ内へ一層進入した結果は図１１に示され、収容薬液が遂にアクチュエーター６Ｂの下流端６Ｂｉｈから吐出（体腔内へ吐出）されている段階を示す。この操作が続けられると、薬剤液の吐出は中間筒７Ｂがその外壁の細い溝１Ｂｗをたどる外筒７Ｂ内壁の案内突部７Ｂｂが該溝の上流端へ到るまで続く。遂に該溝（案内溝）１Ｂｗの上流端即ち、案内溝１Ｂｇ１の起点に当接した時点で所定量の薬剤液の吐出が終わる。
【０１１８】
第１段目の吐出が終了した後に第２段吐出の準備が行なわれている段階は図１２の（Ａ）に示されている。第１段目の吐出が終了した後に第２段吐出へ移行するには、前記の案内溝１Ｂｇ１の起点において外筒７Ｂを案内溝１Ｂｇ１が走る向きへ回転させれば済む。この操作においても外筒７Ｂ内壁の案内突部７Ｂｂが中間筒１Ｂ外壁の案内溝１Ｂｇ１をたどる様に両者を相対的に動かすことが必要である。この回転操作が終了すれば、中間筒１Ｂが今度はその軸と平行に上流側へ進む案内溝１Ｂｇ２をたどる外筒７Ｂ内壁の案内突部７Ｂｂが所定長さの案内溝１Ｂｇ２の上流端へ到るまで移動可能になる。
【０１１９】
多段吐出容器Ｂが第１段目の吐出を終えて第２段目の吐出を行なう為の準備作業を行なっている段階は図１２の（Ｂ）に示され、同図は外筒７Ｂ内壁の案内突部７Ｂｂを中心として説明するものである。同図によれば、外筒７Ｂ内へ進入した中間筒１Ｂ外壁の案内溝１Ｂｇがその水平部１Ｂｇ１の末端であって、その鉛直部１Ｂｇ２の起点に達していることが判る。
【０１２０】
この位置からはその上流側に位置する隔壁１Ｂｓの下流側アンダーカット１Ｂｓｃを案内突部７Ｂｂが容易に乗り越えて中間筒１Ｂ上流側へ一層進入することが許される。即ち、該アンダーカット１Ｂｓｃが上流側へ登る坂形のアンダーカットであることが乗り越えを容易にしている看取できる。
【０１２１】
上記の吐出段階は多段吐出容器Ｂの中間筒１Ｂ外壁に刻設される案内溝１Ｂｇの所謂「階段」を増加させることによって増大させることが理論的には可能である。とはいえ、その為に要求される中間筒１Ｂ及び外筒７Ｂの長大化は携帯性と両立し難い。従って、両者の均衡を何れに求めるかが実用上は重要である。
【０１２２】
【発明の効果】
本発明の多段吐出容器Ａは下記の各種効果を奏する：
（１）収容薬液を多段に亙って所定量づつ吐出可能
（２）多段の各段における吐出量を独立に設定できる
（３）組上げられた儘の状態では保存又は輸送の何れに供されても、不時に作動状態へ移行する虞は殆ど無い
（４）中間筒としてその側壁に各種長さの案内縦溝が刻設されたものを複数種用意すれば、所望の吐出量とそれらの組合せとを備えた吐出容器を提供することができる
（５）オートクレーブ滅菌（１２１℃において２０ｍｉｎ）に耐えることによって無菌保証１０−６を取得できる
本発明の多段吐出容器Ｂは上記の諸効果に加えて下記の各種効果を奏する：
（６）実際の部材生産及びそれらの組立てにおいて、位置合わせの為の各部の寸法精度の許容幅を一層拡げることができる
（７）強度を主に負担する外筒が穿孔又は溝刻設によって強度低下を来す事態を解消できる
（８）使用後の廃棄において分解を要しない（樹脂製穿刺針チップ使用）。
【図面の簡単な説明】
【図１】図１は本発明の多段吐出容器Ａの模式的縦断面図であり、図１の（ａ）はその全体の模式的断面図及び図１の（ｂ）はその部分拡大断面図である。
【図２】図２は本発明の多段吐出容器Ａの模式的縦断面図及び俯瞰図であって、図２の（ａ）はその全体の縦断面図、図２の（ｂ）は該容器を構成する中間筒の側壁の状況を示す模式的縦断面図、図２の（ｃ）は中間筒をその開口側から見た筒内の模式的平面図である。
【図３】図３は図１に示された本発明の多段吐出容器Ａであり、図１の（ａ）はその組上げ直後の状態を示す模式的縦断面図、図１の（ｂ）はその外筒側壁を切除した見取り図であり、図１の（ｃ）はその中段を切断して現れる断面をの軸方向から見た模式的横断面図である。下流端の軸方向から見た見取り図である。
【図４】図４は本発明の多段吐出容器Ａが準備状態を終えた第一段吐出開始直前の状態を示す。図４の（ａ）はその模式的縦断面図であり、図４の（ｂ）はその側壁を切除した状態であり、図４の（ｃ）はその中段を切断して現れる断面をの軸方向から見た模式的横断面図である。下流端の軸方向から見た見取り図である。
【図５】図５は本発明の多段吐出容器Ａが準備状態を終えた第一段吐出を終えた状態を示す。図５の（ａ）はその模式的縦断面図であり、図５の（ｂ）はその側壁を切除した状態であり、図５の（ｃ）はその中段を切断して現れる断面をの軸方向から見た模式的横断面図である。下流端の軸方向から見た見取り図である。
【図６】図６は本発明の多段吐出容器Ａが第一段の吐出を終えて第二段吐出への準備として吐出圧を蓄積している状態を示す図であって、図６の（ａ）はその模式的拡大縦断面図であり、図６の（ｂ）はその係合関係を示す部分拡大断面図である。
【図７】図７は本発明の多段吐出容器Ａが第二段吐出終了時の状態を示す。図７の（ａ）はその模式的縦断面図であり、図７の（ｂ）はその側壁を切除した状態であり、図７の（ｃ）はその中段を切断して現れる断面をの軸方向から見た模式的横断面図である。
【図８】図８は本発明の多段吐出容器Ａが保管及び輸送される際に不時作動阻止具が装着された形態を示し、図８の（ａ）は装着状態の模式的縦断面図、図８の（ｂ）は不時作動阻止具の模式的見取り図及び図８の（ｃ）は該阻止具を軸方向から見た模式的平面図である。
【図９】図９は本発明の多段吐出容器Ｂの出荷状態における模式的縦断面図であって、図９の（Ａ）は該図自体及び図９の（Ｂ）はその栓体を中心とする区域の部分拡大縦断面図である。
【図１０】図１０は本発明の多段吐出容器Ｂにおいて樹脂製穿刺針チップが栓体を刺通した状態を示す模式的縦断面図であって、図１０の（Ａ）はその全体図及び図１０の（Ｂ）はその栓体を中心とする区域の部分拡大縦断面図である。
【図１１】図１１は本発明の多段吐出容器Ｂが第１段目の吐出を実行している段階の模式的縦断面図である。
【図１２】図１２は本発明の多段吐出容器Ｂが第１段目の吐出を終了した後に第２段吐出の準備を行なっている段階を示す模式的縦断面図であって、図１２の（Ａ）はその全体図及び図１２の（Ｂ）はその側壁部における係合状態を示す部分拡大縦断面図である。
【図１３】図１３は本発明の多段吐出容器Ｂが第２段目の吐出も終了した使用終了状態を示す。
【図１４】図１４は本発明の多段吐出容器Ｂにおける中間筒１Ｂを種々の方向から見た模式的断面図、側面図又は斜視図であって、図１４の（Ａ）は斜視図、図１４の（Ｂ）は長軸及び縦溝１Ｂｇを含む平面で切断した縦断面図、図１４の（Ｃ）は側壁外面に縦溝に続く案内溝１Ｂｇ１及び１Ｂｇ２が現れた側面図並びに図１４の（Ｄ）は２個の窓孔１Ｂｗを及び長軸を含む平面で切断した模式的縦断面図である。
【符号の説明】
１    多段吐出容器Ａの中間筒
２    多段吐出容器Ａのプランジャー
３    多段吐出容器Ａの栓体
４    多段吐出容器Ａの穿刺針
５    多段吐出容器Ａの穿刺針支持筒
６    多段吐出容器Ａのアクチュエーター
７    多段吐出容器Ａの外筒
８    多段吐出容器Ａの不時作動阻止具
１ｇ        多段吐出容器Ａの  中間筒側壁に刻設された案内溝（包括名）
２ｆ        多段吐出容器Ａのプランジャー頭部の下流側に位置する鍔状部
２ｇ        多段吐出容器Ａのプランジャー外壁中段から立上がる辿りピン
２ｈ        多段吐出容器Ａのプランジャー頭部
３ｈ        多段吐出容器Ａの栓体の上流端面
３ｓ        多段吐出容器Ａの栓体側壁の凹部
４ｕ        多段吐出容器Ａの穿刺針の頭部
４ｗ        多段吐出容器Ａの穿刺針尖端部の開口
５ｃ        多段吐出容器Ａの穿刺針支持筒の上流域外壁に設けられた突条
５ｉ        多段吐出容器Ａのアクチュエーターインサート
５ｓ        多段吐出容器Ａの穿刺針支持筒の円筒状部分に母線と略平行に設けられた切欠き
６ｆ        多段吐出容器Ａのアクチュエーター基板部分
７ｉ        多段吐出容器Ａの外筒
８ｂ        多段吐出容器Ａの不時作動阻止具の切欠き部両縁に設けられた突条
８ｃ        多段吐出容器Ａの不時作動阻止具の母線全長に亙る開口
１ｂｃ    多段吐出容器Ａの中間筒の本体部
１ｃｉ    多段吐出容器Ａの中間筒の下流端域内壁に設けられたアンダーカット
１ｄｅ    多段吐出容器Ａの中間筒の中段部内壁に設けられた脱気用の溝
１ｅｉ    多段吐出容器Ａの中間筒の大径内壁域
１ｇ１    多段吐出容器Ａの中間筒の側壁に刻設された案内溝における横溝
１ｇ２    多段吐出容器Ａの中間筒の側壁に刻設された案内溝における縦溝
１ｇ３    多段吐出容器Ａの中間筒の側壁に刻設された案内溝における横溝
１ｇ４    多段吐出容器Ａの中間筒の側壁に刻設された案内溝における縦溝
１ｉｃ  多段吐出容器Ａの中間筒内壁のアンダーカット
１ｉａ    多段吐出容器Ａの中間筒内壁の下流側拡径部の上流側に隣接する縦溝
１ｉｕ    多段吐出容器Ａの中間筒内壁の下流側拡径部の上流側に隣接する縦突条
１ｔｐ    多段吐出容器Ａの中間筒上流端の閉塞板
１ｕｃ    多段吐出容器Ａの中間筒の中間域外壁に設けられた逆止用係合突条
１ｕｄ    多段吐出容器Ａの中間筒の下流端
１ｕｅ    多段吐出容器Ａの中間筒の上流域における小径部
１ｘｒ    多段吐出容器Ａの中間筒の上流側拡径部
２ｂｃ    多段吐出容器Ａのプランジャー下流側の円筒形状部分
２ｃｄ    多段吐出容器Ａのプランジャー下流端
２ｃｒ    多段吐出容器Ａのプランジャー下流側の円筒形状部分内壁に設けられた凹溝
２ｒｃ    多段吐出容器Ａのプランジャー外壁の辿りピンよりも稍下流側の軽度の突条
２ｕｅ    多段吐出容器Ａのプランジャー頭部の上流端面
２ｕｈ    多段吐出容器Ａのプランジャー中心部及び穿刺針支持筒中心部に設けられた挿通孔
２ｘｒ    多段吐出容器Ａのプランジャー上流側の円筒形状部分
３ｆｄ    多段吐出容器Ａの栓体上流側周縁
３ｆｕ    多段吐出容器Ａの栓体下流側周縁
５ｂｐ    多段吐出容器Ａの穿刺針支持筒の基板部
５ｃｙ    多段吐出容器Ａの穿刺針支持筒の上流側管状部
６ｃｙ    多段吐出容器Ａのアクチュエーター上流域の大径管状部
６ｅｔ  多段吐出容器Ａのアクチュエーター外筒
６ｉｈ    多段吐出容器Ａのアクチュエーターの吐出口
６ｉｔ    多段吐出容器Ａのアクチュエーター内筒
７ｕｃ    多段吐出容器Ａの外筒上流端内壁の係止直立突条
７ｘｕ    多段吐出容器Ａの外筒上流側内壁に刻設された縦溝
７ｘｅ    多段吐出容器Ａの外筒上流端から下流方向へ縮径する傾斜面
７ｘｄ    多段吐出容器Ａの外筒下流側内壁に設けられた拡径部
１Ｂ        多段吐出容器Ｂの中間筒
２Ｂ        多段吐出容器Ｂのプランジャー
３Ｂ        多段吐出容器Ｂの栓体
５Ｂ        多段吐出容器Ｂのアクチュエーターインサート
６Ｂ        多段吐出容器Ｂのアクチュエーター
７Ｂ        多段吐出容器Ｂの外筒
８Ｂ        多段吐出容器Ｂの不時作動阻止具
４Ｂ１    多段吐出容器Ｂの樹脂製穿刺針チップ
４Ｂ２    多段吐出容器Ｂのステムホルダー
４Ｂ１ｕ        多段吐出容器Ｂの樹脂製穿刺針チップの上半部
４Ｂ１ｄ        多段吐出容器Ｂの樹脂製穿刺針チップの下半部
４Ｂ２ｅ        多段吐出容器Ｂのステムホルダーの外管
４Ｂ２ｉ        多段吐出容器Ｂのステムホルダーの内管
４Ｂ２ｕ        多段吐出容器Ｂのステムホルダー外管上流端外周のアンダーカット
１Ｂｇ    多段吐出容器Ｂの中間筒側壁に刻設された縦溝
７Ｂｇ    多段吐出容器Ｂの外筒内壁中段から立上がる案内突部
２Ｂｆ    多段吐出容器Ｂのプランジャー上半部外壁の縦ひれ
２Ｂｈ    多段吐出容器Ｂのプランジャー頭部
３Ｂｓ    多段吐出容器Ｂの栓体側壁の凹部
５Ｂｉ    多段吐出容器Ｂのアクチュエーターインサート
７Ｂｉ    多段吐出容器Ｂの外筒
１ｕｃ    多段吐出容器Ｂの中間筒の中間域外壁に設けられた逆止用係合突条
１ｕｄ    多段吐出容器Ｂの中間筒の下流端
１ｕｅ    多段吐出容器Ｂの中間筒の上流域における小径部
１ｘｒ    多段吐出容器Ｂの中間筒の拡径部
２ｂｃ    多段吐出容器Ｂのプランジャー下流側の円筒形状部分
２ｃｄ    多段吐出容器Ｂの多段吐出容器Ｂのプランジャー下流端
２Ｂｈ    多段吐出容器Ｂのプランジャーの上流端面
６Ｂｃ    多段吐出容器Ｂのアクチュエーター上流域の大径管状部
６Ｂｅ  多段吐出容器Ｂのアクチュエーター外管
６Ｂｊ    多段吐出容器Ｂのアクチュエーターの吐出口
６Ｂｉ    多段吐出容器Ｂのアクチュエーター内管
７Ｂｇ    多段吐出容器Ｂの外筒中段内壁の案内突部
７Ｂｘ    多段吐出容器Ｂの外筒下流域の大径部
１Ｂｇ１        多段吐出容器Ｂの中間筒の側壁に刻設された案内溝における横溝
１Ｂｇ２        多段吐出容器Ｂの中間筒の側壁に刻設された案内溝における縦溝
１Ｂｂｃ        多段吐出容器Ｂの中間筒の本体部
１Ｂｃｉ        多段吐出容器Ｂの中間筒の下流端域内壁に設けられたアンダーカット
１Ｂｔｐ        多段吐出容器Ｂの中間筒上流端の閉塞板
１Ｂｕｃ        多段吐出容器Ｂの中間筒下流端域外壁の縦溝内に設けられた下流移動阻止型のアンダーカット
２Ｂｕｄ        多段吐出容器Ｂのプランジャーの下流端面
【図１】
0003595588.tif 000002
【図２】
0003595588.tif 000003
【図３】
0003595588.tif 000004
【図４】
0003595588.tif 000005
【図５】
0003595588.tif 000006
【図６】
0003595588.tif 000007
【図７】
0003595588.tif 000008
【図８】
0003595588.tif 000009
【図９】
0003595588.tif 000010
【図１０】
0003595588.tif 000011
【図１１】
0003595588.tif 000012
【図１２】
0003595588.tif 000013
【図１３】
0003595588.tif 000014
【図１４】
0003595588.tif 000015